(57)【要約】【課題】均一且つ鮮明な光を出射することができる。【解決手段】照明装置は、導光板と、導光板の側面に沿って配置される発光部と、を備える。発光部は、基板上に配置される発光素子と、発光素子を包囲するように基板上に設けられる反射部材と、発光素子を封止する透光性の封止部材と、規制部と、を有する。規制部は、導光板の側面に対向する反射部材の上面と導光板の側面との間隔を規制する。さらに、規制部は、反射部材のうち、導光板の側面に沿う方向に設けられる部分の少なくとも一部の上面に突設される。【選択図】図５
2014212001.tif 000002
【特許請求の範囲】
【請求項１】
導光板と、前記導光板の側面に沿って配置される発光部と、を備え、
前記発光部は、
基板上に配置される発光素子と、
前記発光素子を包囲するように前記基板上に設けられる反射部材と、
前記発光素子を封止する透光性の封止部材と、
前記導光板の側面に対向する前記反射部材の上面と前記導光板の側面との間隔を規制する規制部と、
を有し、
前記規制部は、前記反射部材のうち、前記導光板の側面に沿う方向に設けられる部分の少なくとも一部の上面に突設されることを特徴とする照明装置。
【請求項２】
前記反射部材のうち、前記導光板の側面に沿う方向及び前記導光板の側面に対向する方向と垂直に設けられる部分の中央部の上面は前記規制部の上面よりも低くなっていることを特徴とする請求項１に記載の照明装置。
【請求項３】
前記規制部は、前記反射部材のうち、前記導光板の側面に沿う方向に設けられる全ての部分の上面に突設されることを特徴とする請求項１又は請求項２に記載の照明装置。
【請求項４】
前記規制部は、前記反射部材のうち、前記導光板の側面に沿う方向に設けられる部分の端部の上面に突設されることを特徴とする請求項１又は請求項２に記載の照明装置。
【請求項５】
前記発光部は複数であって、複数の前記発光部のうち、
少なくとも１つは、前記反射部材のうち、前記導光板の側面に沿う方向に設けられ、且つ、前記導光板の一方の主面側の部分の上面に前記規制部が突設される第１発光部であり、
他の少なくとも１つは、前記反射部材のうち、前記導光板の側面に沿う方向に設けられ、且つ、前記導光板の他方の主面側の部分の上面に前記規制部が突設される第２発光部であることを特徴とする請求項１〜請求項４のいずれかに記載の照明装置。
【請求項６】
前記規制部は前記導光板の側面に対向する曲面を有することを特徴とする請求項１〜請求項５のいずれかに記載の照明装置。
【発明の詳細な説明】
【技術分野】
【０００１】
本発明は、照明装置に関する。
【背景技術】
【０００２】
近年、一般的な表示装置として、液晶表示装置が普及している。液晶表示装置は、バックライトモジュールから出射された光を液晶パネルが透過又は反射させることにより、液晶パネルの表面に映像を表示する。
【０００３】
また、近年では、薄型化及び省電力化の要求が高まってきており、特許文献１のように、ＬＥＤ（Light emitting Diode）を光源とする導光板方式（エッジライト方式）のバックライトモジュールが注目されている。たとえば、特許文献１では、導光板の側面に沿う方向と平行にＬＥＤパッケージを並べた光源ユニットを導光板の側面に配置し、液晶パネルの背後の導光板から光を照射している。また、導光板に入射する光の利用効率を高めるために、光源ユニットは導光板の側面に近接して配置されている。
【先行技術文献】
【特許文献】
【０００４】
【特許文献１】特開２０１１−１５０２６４号公報
【発明の概要】
【発明が解決しようとする課題】
【０００５】
しかしながら、光源ユニットに並べて配置されているＬＥＤパッケージは、ＬＥＤを封止樹脂の充填量にばらつきがある。そのため、封止樹脂の上面が盛り上がっている場合があり、導光板とＬＥＤパッケージとの間隔にもばらつきが生じる。また、製造工程における組立ばらつきによっても、導光板とＬＥＤパッケージとの間隔にばらつきが生じることがある。このように、導光板とＬＥＤパッケージとの間隔が一定でない場合、バックライトモジュールの輝度ばらつきが大きくなる。
【０００６】
また、ＬＥＤパッケージが導光板の側面と接触する恐れもある。ＬＥＤパッケージの封止樹脂には、通常、蛍光体が含まれている。そのため、この蛍光体が導光板の側面に付着すると、バックライトモジュールが出射する光に色度ズレが発生する可能性がある。
【０００７】
このような問題に対し、特許文献１では、導光板とＬＥＤパッケージとの間隔を一定に保つために、各ＬＥＤパッケージ間を電気的に接続する基板配線に凸部を設けている。ところが、各ＬＥＤパッケージ間に凸部を設けると、導光板の側面に沿う方向と平行な方向において、各ＬＥＤパッケージから出射される光の放射角が各ＬＥＤパッケージ間の凸部により制限される。また、基板配線の形状が特殊であり、さらに、両面粘着剤などを用いて各凸部を導光板に固定するため、コストがかさみ、製造工程が面倒となるという問題がある
【０００８】
本発明は、このような状況を鑑みてなされたものであり、均一且つ鮮明な光を出射することができる照明装置を提供することを目的とする。
【課題を解決するための手段】
【０００９】
上記目的を達成するために、本発明の一の局面による照明装置は、導光板と、導光板の側面に沿って配置される発光部と、を備え、発光部は、基板上に配置される発光素子と、発光素子を包囲するように基板上に設けられる反射部材と、発光素子を封止する透光性の封止部材と、導光板の側面に対向する反射部材の上面と導光板の側面との間隔を規制する規制部と、を有し、規制部は、反射部材のうち、導光板の側面に沿う方向に設けられる部分の少なくとも一部の上面に突設される。
【００１０】
上記構成によれば、規制部は、導光板の側面に沿う方向と平行な方向における発光素子から出射される光の放射角を制限することなく、発光部と導光板の側面との間隔を規制することができ、輝度ばらつきも抑制できる。そのため、発光部の封止部材の上面が盛り上がっていたり、組立ばらつきがあったりしても、発光部の封止部材と導光板の側面との接触を防止できる。従って、発光部と導光板との接触に起因する色度ずれを防止することができる。よって、照明装置は均一且つ鮮明な光を出射することができる。
【００１１】
また、上記構成の照明装置において、反射部材のうち、導光板の側面に沿う方向及び導光板の側面に対向する方向と垂直に設けられる部分の中央部の上面は規制部の上面よりも低くなっていてもよい。
【００１２】
この構成によれば、導光板の側面に沿う方向において、発光素子から出射される光が規制部により遮られないようにすることができる。
【００１３】
また、上記構成の照明装置において、規制部は、反射部材のうち、導光板の側面に沿う方向に設けられる全ての部分の上面に突設されてもよい。
【００１４】
この構成によれば、反射部材のうち、導光板の側面に沿う方向に設けられる全ての部分の上面に規制部が突設されるので、より確実に、発光部と導光板の側面との接触を防止できる。
【００１５】
或いは、上記構成の照明装置において、規制部は、反射部材のうち、導光板の側面に沿う方向に設けられる部分の端部の上面に突設されてもよい。
【００１６】
この構成によれば、反射部材のうち、導光板の側面に沿う方向に設けられる部分の端部に規制部が突設されるので、簡素な構成で発光部と導光板の側面との接触を防止できる。
【００１７】
上記構成の照明装置において、発光部は複数であって、複数の発光部のうち、少なくとも１つは、反射部材のうち、導光板の側面に沿う方向に設けられ、且つ、導光板の一方の主面側の部分の上面に規制部が突設される第１発光部であり、他の少なくとも１つは、反射部材のうち、導光板の側面に沿う方向に設けられ、且つ、導光板の他方の主面側の部分の上面に規制部が突設される第２発光部であってもよい。
【００１８】
この構成によれば、導光板が発光部に当接する際、第１及び第２発光部の各規制部がバランスよく導光板の入光面と当接する。従って、各発光部と導光板の側面との接触を防止することができる。
【００１９】
また、上記構成の照明装置において、規制部は導光板の側面に対向する曲面を有していてもよい。
【００２０】
この構成によれば、導光板の側面には規制部の曲面が当接しても、導光板の側面が傷つき難くなる。
【発明の効果】
【００２１】
本発明によれば、均一且つ鮮明な光を出射することができる照明装置を提供することができる。
【図面の簡単な説明】
【００２２】
【図１】液晶表示装置の外観斜視図である。
【図２】液晶表示装置の縦断面図である。
【図３】バックライトモジュールの分解斜視図である。
【図４】導光板の入光面近傍を示す上面図である。
【図５】第１実施形態での導光板の入光面近傍を示す斜視図である。
【図６Ａ】第１実施形態でのＬＥＤパッケージの一例を示す斜視図である。
【図６Ｂ】第１実施形態でのＬＥＤパッケージの一例を示す断面図である。
【図７Ａ】第２実施形態でのＬＥＤパッケージの一例を示す斜視図である。
【図７Ｂ】第２実施形態でのＬＥＤパッケージの一例を示す断面図である。
【図８】第２実施形態の変形例でのＬＥＤパッケージの一例を示す斜視図である。
【図９Ａ】第２実施形態の他の変形例での規制部の形状例を示す断面図である。
【図９Ｂ】第２実施形態の他の変形例での規制部の形状例を示す断面図である。
【図９Ｃ】第２実施形態の他の変形例での規制部の形状例を示す断面図である。
【図９Ｄ】第２実施形態の他の変形例での規制部の形状例を示す断面図である。
【図１０】第３実施形態での導光板の入光面近傍を示す斜視図である。
【発明を実施するための形態】
【００２３】
以下に、図面を参照し、本発明の実施形態について、液晶表示装置のバックライトモジュールを例に挙げて説明する。なお、以下では、液晶表示装置の映像が表示される側を前面と呼び、その反対側を裏面とよぶ。
＜第１実施形態＞
【００２４】
図１は、液晶表示装置の外観斜視図である。図２は、液晶表示装置の縦断面図である。図１に示すように、液晶表示装置１００は、液晶表示装置本体１０１と、スタンド１０２と、を備えている。また、図２に示すように、液晶表示装置本体１０１は、液晶パネル１と、エッジライト方式のバックライトモジュール２と、これらを収容するキャビネット３と、を有している。
【００２５】
液晶パネル１は、その背後のバックライトモジュール２から照射される光の透過率を制御又はその光を反射し、所定の画像を液晶パネル１の前面（図２では左側の主面）に表示する。液晶パネル１は、本発明の趣旨から外れるためにここでは詳述しないが、たとえば、第１偏光板、ガラス基板、カラーフィルター、液晶層、第２偏光板、及び駆動モジュールなどを含んで構成されている。
【００２６】
バックライトモジュール２は、液晶パネル１の背後に配置され、所定の映像を表示させるための光を液晶パネル１に照射する照明装置である。図３は、バックライトモジュールの分解斜視図である。図２及び図３に示すように、バックライトモジュール２は、フレーム２１と、導光板２２と、反射板２３と、光拡散部材２４と、押え部材２５と、ＬＥＤ（Light emitting Diode）ユニット２６と、を備えている。
【００２７】
フレーム２１は、樹脂材料を用いて一体成型されており、４個の壁体を接続して長方形の枠状に形成されている。各壁体の一つ（図２及び図３では下側の壁体）には、ＬＥＤユニット２６が取り付けられる。また、フレーム２１の各壁体は内部に向かって突出した棚部を備えている。棚部の上部には、反射板２３、導光板２２、及び光拡散部材２４がこの順番で配置されている。反射板２３、導光板２２、及び光拡散部材２４はその外周部を棚部に支持されている。
【００２８】
導光板２２は、たとえば透明なアクリル板を用いて形成されている。図３に示すように、導光板２２の側面の１つ（図２及び図３では下側の側面）は入光面２２ａとなっている。この入光面２２ａには、ＬＥＤユニット２６から出射される光が入射する。また、導光板２２の前面側（図２及び図３では左側）の主面は液晶パネル１に光を照射する出光面２２ｂとなっており、その反対側の主面には、導光板２２の成形時或いは印刷によって反射ドットが形成されている。入光面２２ａから入射した光は、反射ドットで反射され、出光面２２ｂから出射される。
【００２９】
反射板２３は、導光板２２の裏面側（図２及び図３では右側）の主面に配置され、導光板２２の裏面側の主面から出射される光を反射して、再び導光板２２に入射させる。この反射板２３は導光板２２に対向する面が白色で形成されている。反射板２３を備えていることで、導光板２２の裏面側の主面から漏れる光を再度利用することができ、光量の減少を抑制することができる。また、反射板２３は、導光板２２及び光拡散部材２４を支持する支持部材としても作用している。
【００３０】
光拡散部材２４は導光板２２の出光面２２ｂに貼り付けられた光学部材である。図３に示すように、光拡散部材２４は、第１及び第２拡散シート２４ａ、２４ｂと、第１及び第２拡散シート２４ａ、２４ｂの間に配置されるレンズシート２４ｃと、を含んで構成されている。第１及び第２拡散シート２４ａ、２４ｂ及びレンズシート２４ｃはそれぞれ異なる形式で光を拡散させる光学シートである。これらは、第１拡散シート２４ａ、レンズシート２４ｃ、第２拡散シート２４ｂの順番で導光板２２の出光面２２ｂに貼り付けられて積層されている。導光板２２の出光面２２ｂから出射した光は、光拡散部材２４を通過する際に拡散され、面内での光量が一定の範囲内にそろえられ、面発光の照明光として出射される。
【００３１】
押え部材２５は、光拡散部材２４から出射される光を遮らないように、導光板２２、反射板２３、及び光拡散部材２４を押え、それらをフレーム２１と共に保持する枠状部材である。
【００３２】
ＬＥＤユニット２６は、導光板２２の入光面２２ａに光を出射する光源ユニットである。図４は、導光板の入光面近傍を示す上面図である。図５は、第１実施形態での導光板の入光面近傍を示す斜視図である。図４及び図５に示すように、ＬＥＤユニット２６は、複数のＬＥＤパッケージ５と、ヒートシンク６と、を有する。複数のＬＥＤパッケージ５は、導光板２２の入光面２２ａに沿って配置されており、図示しない接着部材によってヒートシンク６に貼り付けられている。
【００３３】
次に、ＬＥＤパッケージ５について説明する。図６Ａは、第１実施形態でのＬＥＤパッケージの一例を示す斜視図である。図６Ｂは、第１実施形態でのＬＥＤパッケージの一例を示す断面図である。図６Ｂは、図６Ａの一点鎖線Ａ−Ａに沿う断面構造を示している。
【００３４】
図６Ａ及び図６Ｂに示すように、ＬＥＤパッケージ５は、ＬＥＤ５１と、リフレクタ５２と、封止部材５３と、端子部５４と、基板５５と、を含んで構成される発光部である。
【００３５】
ＬＥＤ５１は、導光板２２の入光面２２ａに出射する光の光源となる発光素子である。
【００３６】
リフレクタ５２は、たとえば白色の樹脂材料で形成される反射部材であり、ＬＥＤ５１から出射される光を導光板２２の入光面２２ａに向けて反射する。このリフレクタ５２の上面は導光板２２の入光面２２ａに対向している。また、リフレクタ５２の一部の上面には規制部５６が突設されている。この詳細については後述する。
【００３７】
封止部材５３は、透光性の樹脂材料であり、蛍光体を含有している。この蛍光体は、ＬＥＤ５１から出射される光で励起され、所定波長の光を放射する。
【００３８】
端子部５４は、各ＬＥＤパッケージ５間を電気的に接続するための電極部である。この端子部５４は図示しない配線によってＬＥＤ５１と電気的に接続されている。
【００３９】
基板５５上には、ＬＥＤ５１が配置されるとともに、ＬＥＤ５１を包囲するようにリフレクタ５２が設けられている。リフレクタ５２の内部には封止部材５３が充填されている。封止部材５３は、ＬＥＤ５１を封止することにより、ＬＥＤ５１が外部に露出しないようにしている。
【００４０】
また、基板５５には放熱用電極５５ａが形成されている。この放熱用電極５５ａはヒートシンク６と熱的に接続されており、発光に伴って発熱するＬＥＤ５１を冷却させるために設けられている。
【００４１】
また、リフレクタ５２のうち、導光板２２の入光面２２ａに沿う方向に設けられる全ての部分の上面には、それぞれ規制部５６が突設されている。これらの規制部５６は、リフレクタ５２と一体に形成されている。また、これらの規制部５６は、リフレクタ５２の上面と導光板２２の入光面２２ａとの間隔を規制しており、その間隔が所定距離以下となることを防止している。こうすることによって、導光板２２の入光面２２ａとリフレクタ５２の上面（特に封止部材５３の上面）との接触を防止している。
【００４２】
たとえば、図６Ｂの破線はリフレクタ５２の上面の高さ方向の位置を示し、二点鎖線は規制部５６の上面の高さ方向の位置を示している。封止部材５３の充填量はＬＥＤパッケージ５の製造ばらつきにより増減する。そのため、各ＬＥＤパッケージ５において、封止部材５３の上面は、図６Ｂのようにリフレクタ５２の上面（破線）よりも盛り上がる場合もあるが、このような場合であっても、規制部５６の上面の高さ（二点鎖線）を超えないようにすることができる。そのため、ＬＥＤユニット２６が導光板２２に当接することがあっても、導光板２２の入光面２２ａが各ＬＥＤパッケージ５の規制部５６の上面に当接することにより、導光板２２の入光面２２ａと、リフレクタ５２の上面及び封止部材５３の上面との接触は防止される。従って、封止部材５３に含まれる蛍光体が導光板２２の入光面２２ａに付着することもないので、ＬＥＤパッケージ５と導光板２２との接触に起因する色度ずれを防止することができる。
【００４３】
なお、図６Ａに示すように、リフレクタ５２のうち、導光板２２の入光面２２ａに沿う方向及び導光板２２の入光面２２ａに対向する方向と垂直に設けられる部分の中央部の上面には、規制部５６は突設されない。そのため、導光板２２の入光面２２ａに沿う方向において、ＬＥＤ５１から出射される光は規制部５６により遮られないようになっている。
【００４４】
また、規制部５６の上面は、図６Ａ及び図６Ｂでは平面となっているが、この例示に限定されず、曲面であってもよい。こうすれば、規制部５６が導光板２２と当接しても、導光板２２の入光面２２ａには規制部５６の曲面が当接するので、導光板２２の入光面２２ａに傷をつけないようにすることができる。
【００４５】
以上、第１実施形態について説明した。第１実施形態によれば、バックライトモジュール２は、導光板２２と、導光板２２の入光面２２ａに沿って配置されるＬＥＤパッケージ５と、を備える。ＬＥＤパッケージ５は、基板５５上に配置されるＬＥＤ５１と、ＬＥＤ５１を包囲するように基板５５上に設けられるリフレクタ５２と、ＬＥＤ５１を封止する透光性の封止部材５３と、規制部５６と、を有する。規制部５６は、導光板２２の入光面２２ａに対向するリフレクタ５２の上面と導光板２２の入光面２２ａとの間隔を規制する。さらに、規制部５６は、リフレクタ５２のうち、導光板２２の入光面２２ａに沿う方向に設けられる部分の上面に突設される。
【００４６】
このバックライトモジュール２によれば、規制部５６は、導光板２２の入光面２２ａに沿う方向と平行な方向におけるＬＥＤ５１から出射される光の放射角を制限することなく、ＬＥＤパッケージ５と導光板２２の入光面２２ａとの間隔を規制することができる。また、輝度ばらつきも抑制できる。そのため、ＬＥＤパッケージ５の封止部材５３の上面が盛り上がっていたり、組立ばらつきがあったりしても、ＬＥＤパッケージ５の封止部材５３と導光板２２の入光面２２ａとの接触を防止できる。従って、ＬＥＤパッケージ５と導光板２２との接触に起因する色度ずれを防止することができる。よって、バックライトモジュール２は均一且つ鮮明な光を出射することができる。
【００４７】
また、第１実施形態によれば、リフレクタ５２のうち、導光板２２の入光面２２ａに沿う方向及び導光板２２の入光面２２ａに対向する方向と垂直に設けられる部分の中央部の上面は規制部５６の上面よりも低くなっている。こうすれば、導光板２２の入光面２２ａに沿う方向において、ＬＥＤ５１から出射される光が規制部５６により遮られないようにすることができる。
【００４８】
また、第１実施形態によれば、規制部５６は、リフレクタ５２のうち、導光板２２の入光面２２ａに沿う方向に設けられる全ての部分の上面に突設される。こうすれば、より確実に、ＬＥＤパッケージ５と導光板２２の入光面２２ａとの接触を防止できる。
【００４９】
また、第１実施形態によれば、規制部５６は導光板２２の入光面２２ａに対向する曲面を有していてもよい。こうすれば、導光板２２の入光面２２ａには規制部５６の曲面が当接しても、導光板２２の入光面２２ａが傷つき難くなる。
＜第２実施形態＞
【００５０】
次に、第２実施形態について説明する。第２実施形態では、規制部５６が、リフレクタ５２のうち、導光板２２の入光面２２ａに沿う方向に設けられる部分の端部に突設される。それ以外は、第１実施形態と同様である。以下では、第２実施形態について、第１実施形態と異なる事項について説明する。また、第１実施形態と同じ構成には同じ符号を付し、その説明を省略することがある。
【００５１】
図７Ａは、第２実施形態でのＬＥＤパッケージの一例を示す斜視図である。図７Ｂは、第２実施形態でのＬＥＤパッケージの一例を示す断面図である。なお、図７Ｂは、図７Ａの一点鎖線Ｂ−Ｂに沿う断面構造を示している。また、図７Ｂの破線は、リフレクタ５２の上面の高さの位置を示し、図７Ｂの二点鎖線は規制部５６の上面の高さの位置を示している。
【００５２】
図７Ａに示すように、第２実施形態では、規制部５６が、リフレクタ５２の上面の４隅に突設される。このようにしても、図７Ｂのように、封止部材５３の上面は、リフレクタ５２の上面（破線）よりも盛り上がったとしても、各規制部５６の上面の高さ（二点鎖線）を超えないようにすることができる。そのため、ＬＥＤユニット２６が導光板２２に当接することがあっても、導光板２２の入光面２２ａが各ＬＥＤパッケージ５の規制部５６の上面に当接することにより、導光板２２の入光面２２ａとリフレクタ５２の上面及び封止部材５３の上面との接触は防止される。従って、封止部材５３に含まれる蛍光体が導光板２２の入光面２２ａに付着することもないので、ＬＥＤパッケージ５と導光板２２との接触に起因する色度ずれを防止することができる。
【００５３】
なお、図７Ａでは、規制部５６がリフレクタ５２の上面の４つの隅部（すなわち、リフレクタ５２のうち、導光板２２の入光面２２ａに沿う方向に設けられる部分の全ての端部の上面）に突設されているが、本発明の適用範囲はこの例示に限定されない。規制部５６はリフレクタ５２の上面の４つの隅部のうちの少なくとも１つに突設されてもよい。
（第２実施形態の変形例）
【００５４】
次に、第２実施形態の変形例について説明する。図８は、第２実施形態の変形例でのＬＥＤパッケージの一例を示す斜視図である。図８に示すように、規制部５６はさらに、リフレクタ５２のうち、導光板２２の入光面２２ａに沿う方向に設けられる部分の中央部の上面に突設されてもよい。このようにすると、ＬＥＤユニット２６が導光板２２に当接することがあっても、当接する際の負荷（或いは衝撃）が各規制部５６で分散されるため、規制部５６が撓んだり折れたりし難くなる。よって、導光板２２の入光面２２ａとリフレクタ５２の上面及び封止部材５３の上面との接触をより確実に防止することができる。
【００５５】
なお、規制部５６を突設する位置は図７Ａ及び図８の例示に限定されない。規制部５６は、リフレクタ５２のうち、導光板２２の入光面２２ａに沿う方向に設けられる部分の上面であれば、任意の位置に突設してもよい。
【００５６】
また、規制部５６の形状は、図７Ａ及び図８では四角柱状となっているが、この例示に限定されない。たとえば、規制部５６の形状は、円柱形状（たとえば図９Ａ参照）であってもよいし、断面が多角形（五角形、六角形）の角柱又は状であってもよい。或いは、断面がＬ字型又はコの字型の柱状（たとえば図９Ｂ及び図９Ｃ参照）であってもよい。このような形状にすれば、規制部５６をより撓み難く、且つ、折れ難くすることができる。
【００５７】
また、各規制部５６の上面は、図７Ａ及び図８では平面となっているが、図９Ｄに示すように曲面であってもよい。こうすれば、規制部５６が導光板２２と当接しても、導光板２２の入光面２２ａには規制部５６の曲面が当接するので、導光板２２の入光面２２ａに傷をつけないようにすることができる。
【００５８】
以上、第２実施形態について説明した。第２実施形態のバックライトモジュール２によれば、規制部５６は、リフレクタ５２のうち、導光板２２の入光面２２ａに沿う方向に設けられる部分の少なくとも一部の上面に突設される。
【００５９】
このバックライトモジュール２によれば、規制部５６は、導光板２２の入光面２２ａに沿う方向と平行な方向におけるＬＥＤ５１から出射される光の放射角を制限することなく、ＬＥＤパッケージ５と導光板２２の入光面２２ａとの間隔を規制することができる。また、輝度ばらつきも抑制できる。そのため、ＬＥＤパッケージ５の封止部材５３の上面が盛り上がっていたり、組立ばらつきがあったりしても、ＬＥＤパッケージ５の封止部材５３と導光板２２の入光面２２ａとの接触を防止できる。従って、ＬＥＤパッケージ５と導光板２２との接触に起因する色度ずれを防止することができる。よって、バックライトモジュール２は均一且つ鮮明な光を出射することができる。
【００６０】
また、第２実施形態によれば、規制部５６は、リフレクタ５２のうち、導光板２２の入光面２２ａに沿う方向に設けられる部分の端部の上面に突設される。こうすれば、簡素な構成で、ＬＥＤパッケージ５と導光板２２の入光面２２ａとの接触を防止できる。
＜第３実施形態＞
【００６１】
次に、第３実施形態について説明する。第３実施形態では、規制部５６が、リフレクタ５２のうち、導光板２２の入光面２２ａに沿う方向に設けられる２つの部分のうちの一方の上面のみに突設される。さらに、ＬＥＤユニット２６には、規制部５６が一方の部分の上面に突設された第１ＬＥＤパッケージ５ａと、規制部５６が他方の部分の上面に突設された第２ＬＥＤパッケージ５ｂと、が導光板２２の入光面２２ａに沿って交互に配置される。それ以外は、第１及び第２実施形態と同様である。以下では、第３実施形態について、第１及び第２実施形態と異なる事項について説明する。また、第１実施形態と同じ構成には同じ符号を付し、その説明を省略することがある。
【００６２】
図１０は、第３実施形態での導光板の入光面近傍を示す斜視図である。図１０に示すように、第３実施形態では、ＬＥＤパッケージ５は、２種類のＬＥＤパッケージ５ａ、５ｂを含んでいる。第１ＬＥＤパッケージ５ａでは、規制部５６が、リフレクタ５２のうち、導光板２２の入光面２２ａに沿う方向に設けられ、且つ、導光板２２の出光面２２ｂ側の部分の上面に突設される。また、第２ＬＥＤパッケージ５ｂでは、規制部５６が、リフレクタ５２のうち、導光板２２の入光面２２ａに沿う方向に設けられ、且つ、導光板２２の出光面２２ｂとは反対側の部分の上面に突設される。
【００６３】
このようにしても、ＬＥＤユニット２６が導光板２２に当接する際、第１及び第２ＬＥＤパッケージ５ａ、５ｂの各規制部５６がバランスよく導光板２２の入光面２２ａと当接する。そのため、導光板２２の入光面２２ａと各ＬＥＤパッケージ５の封止部材５３の上面との接触を防止することができる。従って、封止部材５３に含まれる蛍光体が導光板２２の入光面２２ａに付着することもないので、発光ユニットと導光板２２との接触に起因する色度ずれを防止することができる。
【００６４】
なお、図１０では、規制部５６は、第１実施形態と同様に、リフレクタ５２のうち、導光板２２の入光面２２ａに沿う方向に設けられる全ての部分に突設されているが、この例示に限定されず、第２実施形態又はその変形例と同様に突設されてもよい。すなわち、規制部５６は、リフレクタ５２のうち、導光板２２の入光面２２ａに沿う方向に設けられる部分の少なくとも一部の上面に突設されてもよい。
【００６５】
以上、第３実施形態について説明した。第３実施形態によれば、ＬＥＤパッケージ５は複数であり、複数のＬＥＤパッケージ５のうち、少なくとも１つは第１ＬＥＤパッケージ５ａであり、他の少なくとも１つは第２ＬＥＤパッケージ５ｂである。第１ＬＥＤパッケージ５ａでは、リフレクタ５２のうち、導光板２２の入光面２２ａに沿う方向に設けられ、且つ、導光板２２の一方の主面側（すなわち出光面２２ｂ側）の部分の上面に規制部５６が突設される。また、第２ＬＥＤパッケージ５ｂでは、リフレクタ５２のうち、導光板２２の入光面２２ａに沿う方向に設けられ、且つ、導光板２２の他方の主面側（すなわち出光面２２ｂの反対側）の部分の上面に規制部５６が突設される。
【００６６】
こうすれば、導光板２２がＬＥＤパッケージ５に当接する際、第１及び第２ＬＥＤパッケージ５ａ、５ｂの各規制部５６がバランスよく導光板２２の入光面２２ａと当接する。従って、各ＬＥＤパッケージ５と導光板２２の入光面２２ａとの接触を防止することができる。
【００６７】
以上、本発明の実施形態について説明した。なお、上述の実施形態は例示であり、その各構成要素や各処理の組み合わせに色々な変形が可能であり、本発明の範囲にあることは当業者に理解されるところである。
【００６８】
たとえば、第１〜第３実施形態では、規制部５６がリフレクタ５２と一体成形されているが、本発明の適用範囲はこの例に限定されない。規制部５６は、リフレクタ５２とは別体であってもよく、さらに、リフレクタ５２とは異なる材料で形成されていてもよい。
【００６９】
また、第１〜第３実施形態では、液晶表示装置のバックライトモジュールを例に挙げて説明したが、本発明の適用範囲はこの例示に限定されない。本発明は、導光板から光を出光する照明装置であれば適用可能である。
【符号の説明】
【００７０】
１００  液晶表示装置
１０１    液晶表示装置本体
１０２    スタンド
１      液晶パネル
２      バックライトモジュール
３      キャビネット
２１      フレーム
２２      導光板
２２ａ      入光面
２２ｂ      出光面
２３      反射板
２４      光拡散部材
２５      押え部材
２６      ＬＥＤユニット
５          ＬＥＤパッケージ
５１          ＬＥＤ
５２          リフレクタ
５３          封止部材
５４          端子部
５５          基板
５５ａ          放熱用電極
５６          規制部
６          ヒートシンク
【図１】
2014212001.tif 000003
【図２】
2014212001.tif 000004
【図３】
2014212001.tif 000005
【図４】
2014212001.tif 000006
【図５】
2014212001.tif 000007
【図６Ａ】
2014212001.tif 000008
【図６Ｂ】
2014212001.tif 000009
【図７Ａ】
2014212001.tif 000010
【図７Ｂ】
2014212001.tif 000011
【図８】
2014212001.tif 000012
【図９Ａ】
2014212001.tif 000013
【図９Ｂ】
2014212001.tif 000014
【図９Ｃ】
2014212001.tif 000015
【図９Ｄ】
2014212001.tif 000016
【図１０】
2014212001.tif 000017